(57)【要約】【課題】  信号機の製造工程を増やすことがなく、既存の信号機の防雪対策にも対応可能な信号機用防雪カバーの提供を目的とする。【解決手段】  本発明の信号機用防雪カバー１は、光源Ｃを覆うレンズＤとレンズＤの外周上方部から前方へ延出して設けられるフードＥを備える信号灯Ｂを有する信号機用のカバーであって、信号灯Ｂの外周と略同一形状の内周を有し、信号灯Ｂの前方から着脱可能に嵌合されて、信号機Ａに固定される筒状体２と、筒状体２の前方開口部２ａを施蓋し、前面が下方へいくに従って後方に傾斜して配置される透明な防雪板３とを備える。【選択図】      図４
2006202114.tif 000002
【特許請求の範囲】
【請求項１】
光源を覆うレンズとレンズの外周上方部から前方へ延出して設けられるフードを備える信号灯を有する信号機用のカバーであって、
前記信号灯の外周と略同一形状の内周を有し、前記信号灯の前方から着脱可能に嵌合されて、前記信号機に固定される筒状体と、
前記筒状体の前方開口部を施蓋し、前面が下方へいくに従って後方に傾斜して配置される透明な防雪板と
を備えることを特徴とする信号機用防雪カバー。
【請求項２】
前記筒状体が、磁石で前記信号機に固定されることを特徴とする請求項１に記載の信号機用防雪カバー。
【請求項３】
前記磁石が、前記筒状体の後部に設けられるフランジの後面に取り付けられ、前記磁石の後端面と前記筒状体の後方開口面が略同一平面上に位置することを特徴とする請求項２に記載の信号機用防雪カバー。
【請求項４】
前記筒状体の下方前端部に、穴が形成されていることを特徴とする請求項１〜３のいずれかに記載の信号機用防雪カバー。
【発明の詳細な説明】
【技術分野】
【０００１】
本発明は、光源を覆うレンズとレンズの外周上方部から前方へ延出して設けられるフードを備える信号灯を有する信号機の点灯色を、降雪時にも確実に視認できるようにする信号機用防雪カバーに関する。
【背景技術】
【０００２】
交通信号機、鉄道車両用信号機等の信号機は、通常、光源を覆うレンズとレンズの外周上方部から前方へ延出して設けられるフードを備える信号灯を有しているが、降雪時には、このレンズ表面に雪が付着することがしばしばある。従来は、信号灯の光源としては主に白熱電球が用いられていたので、光源自体が発熱源となってレンズ表面に付着した雪を融かし、雪が残留することは少なかった。従って、信号灯のレンズ表面に雪が徐々に堆積して、レンズ表面全体が雪で覆われて点灯色を視認できないという問題が生じることは少なかった。
【０００３】
近年、信号灯の光源として、省エネタイプの発光ダイオード（ＬＥＤ）が用いられている。しかしながら、このＬＥＤは発熱量が著しく低いため、白熱電球のように、信号灯のレンズ表面に付着した雪を融かすことができず、レンズ表面が雪で覆われて点灯色を視認することができないという問題が生じるおそれがある。
【０００４】
そこで、雪が付着するのを防止するため、表示器の表面又はその表示器のフードの表面に撥水性塗料を塗布した表示装置が提案されている（特許文献１参照）。
【特許文献１】特開平１０−２５５１９５号公報
【発明の開示】
【発明が解決しようとする課題】
【０００５】
しかしながら、上記で提案されている表示装置は、表示器の表面やフードの表面に撥水性塗料を塗布する工程を必要とするため、表示装置の製造工程が増えてしまうという問題がある。また、既存の信号機の防雪対策には対応できないという不都合もある。
【０００６】
本発明は、かかる事情に鑑みてなされたものであり、信号機の製造工程を増やすことがなく、既存の信号機の防雪対策にも対応可能な信号機用防雪カバーの提供を目的とする。
【課題を解決するための手段】
【０００７】
上記課題を解決するため、請求項１に記載の信号機用防雪カバーは、光源を覆うレンズとレンズの外周上方部から前方へ延出して設けられるフードを備える信号灯を有する信号機用のカバーであって、前記信号灯の外周と略同一形状の内周を有し、前記信号灯の前方から着脱可能に嵌合されて、前記信号機に固定される筒状体と、前記筒状体の前方開口部を施蓋し、前面が下方へいくに従って後方に傾斜して配置される透明な防雪板とを備えることを特徴とする。
【０００８】
請求項２に記載の信号機用防雪カバーは、請求項１に記載の構成に加えて、前記筒状体が、磁石で前記信号機に固定されることを特徴とする。
【０００９】
請求項３に記載の信号機用防雪カバーは、請求項２に記載の構成に加えて、前記磁石が、前記筒状体の後部に設けられるフランジの後面に取り付けられ、前記磁石の後端面と前記筒状体の後方開口面が略同一平面上に位置することを特徴とする。
【００１０】
請求項４に記載の信号機用防雪カバーは、請求項１から請求項３のいずれかに記載の構成に加えて、前記筒状体の下方前端部に、穴が形成されていることを特徴とする。
【発明の効果】
【００１１】
本発明の信号機用防雪カバーは、信号機とは別に製造されるため、信号機の製造工程を増やすことはなく、既存の信号機の防雪対策にも対応することができる。また、本発明の信号機用防雪カバーは、降雪の状況、季節等に応じて、容易に付け外しを行うことができると共に、対象となる信号灯の形状がほぼ同じであれば、転用することも可能である。
【発明を実施するための最良の形態】
【００１２】
以下、本発明の信号機用防雪カバーについて、図面を参照しつつ説明するが、本発明は以下に記載されたもののみに限定されるものではない。
【００１３】
図１は、本発明の一実施例を示す信号機用防雪カバー１の外観斜視図であり、図２は、信号機用防雪カバー１の正面図であり、図３は、信号機用防雪カバー１の背面図である。また、図４は、信号機用防雪カバー１の信号機Ａへの取り付け方法を示す外観斜視図であり、図５は、信号機Ａに信号機用防雪カバー１が取り付けられた状態を示す縦断面図である。これらの図に示すように、信号機用防雪カバー１は、光源Ｃを覆うレンズＤと、レンズＤの外周上方部から前方へ延出して設けられ、太陽光がレンズＤに直接入射するのを阻止するフードＥを備える信号灯Ｂを有する信号機Ａに用いられるカバーであり、筒状体２と防雪板３とを備えている。
【００１４】
本実施例では、筒状体２の内周の形状は略円形とされている。これは、図４に示すように、略円形のレンズＤとレンズＤの外周上方部から前方へ延出して半円筒面を形成するフードＥとにより、信号灯Ｂの外周形状は略円形であることに対応させるためである。このように、筒状体の内周は、信号灯Ｂの外周と略同一形状に構成される。ここで、「略同一形状」とは、信号灯の前方から筒状体を着脱可能に嵌合することができるよう、信号灯の外周の形状と筒状体の内周の形状をほぼ同じにすることをいう。
【００１５】
また、筒状体２上端の前後方向の長さは、図５に示す如く、フードＥの前端と筒状体２の間に空間が形成されるように、フードＥの前後方向の長さよりもやや長めに構成されている。このように、筒状体上端の前後方向の長さは、フードの形状、延出具合に応じて適宜設定される。
【００１６】
筒状体２の前方開口部２ａは、下方へいくに従って後方に傾斜する形状とされている。そして、前方開口部２ａには、この前方開口部２ａを施蓋する透明な防雪板３が接着剤を介して設けられている。この防雪板３は、筒状体２の内周が略円形であることに対応して、楕円形とされている。
【００１７】
図５に示すように、上述したような構成の信号機用防雪カバー１で信号灯Ｂをほぼ完全に覆うため、信号灯Ｂに対していかなる方向から雪が吹き付けても、レンズＤの表面に雪が付着することはない。また、防雪板３が傾斜して設けられているので、防雪板３への雪の付着を軽減、防止することができると共に、付着した雪も滑り落ちる。従って、降雪時に信号灯Ｂの点灯色を視認することができないという問題が生じるおそれはない。なお、信号灯Ｂの上方向から光が照射された場合、フードＥによりレンズＤに直接光が入射することはないが、横方向、下方向から光が照射された場合、レンズＤに直接光が入射し、レンズＤが光って点灯色を視認しにくくなることがある。しかしながら、信号機用防雪カバー１で信号灯Ｂを覆うことで、筒状体２が横方向、下方向からの光を遮り、レンズＤが光って点灯色を視認しにくくなるという不都合は生じない。
【００１８】
筒状体２の前方開口部２ａの傾斜角度は、筒状体２中心に対して４０〜６０°であることが好ましく、より好ましくは４５〜５５°である。前記範囲内に設定することにより、防雪板３への雪の付着を効率的に軽減、防止することができ、付着した雪もより滑り落ちやすくなる。
【００１９】
また、透明な防雪板３の材質としては、ポリエチレンテレフタレート等のポリエステル樹脂、アクリル樹脂等を用いることができる。また、防雪板３への雪、さらには、水の付着をより確実に軽減、防止する観点から、防雪板３の表面に撥水加工が施されていることが好ましい。当該加工方法としては、防雪板３表面に撥水性塗料を塗布する方法等が挙げられる。
【００２０】
なお、本実施例では、筒状体２と防雪板３は、別部材とされているが、両者が一体的に形成されていてもよい。
【００２１】
筒状体２の下方前端部には、穴４が形成されている。このように、穴４を形成することで、信号機用防雪カバー１を信号機Ａに取り付けた状態で、筒状体２内部に侵入した水を排出し、さらには、防雪板３が曇り信号灯Ｂの点灯色が視認しにくくなるのを防止することが可能となる。
【００２２】
また、筒状体２の後部に略円状のフランジ５が設けられ、フランジ５の後面には、磁石６，６，６の後端面と筒状体２の後方開口面が略同一平面上に位置するように、磁石６，６，６が等間隔に取り付けられている。そして、図５に示すように、筒状体２は、磁石６，６，６を介して信号機Ａに固定されている。本実施例では、信号機Ａに止め具等の部材を設けたりすることなく、さらには、信号機用防雪カバー１の信号機Ａへの着脱をより容易に行う観点から、筒状体２の信号機Ａへの固定手段として磁石を用いられているが、固定手段としては磁石に限定されるものではなく、ビス等を用いてもよい。
【００２３】
信号機用防雪カバー１の取り付け方法は、図４に示すように、信号灯Ｂの前方から、フードＥを筒状体２の後方開口部から内部に入れるようにしながら、防雪板３が下方に向くように嵌め、磁石６，６，６を信号機Ａに吸着させる。一方、信号灯Ａから信号機用防雪カバー１を取り外すときは、筒状体２を前方に引っ張るだけでよいが、筒状体２を上下左右に傾けながら磁石６を一つずつ外すことで、少ない力で信号機用防雪カバー１を取り外すことができる。このように、簡単な操作により、信号機用防雪カバー１を着脱すことができる。
【００２４】
上述したように、本発明の信号機用防雪カバーは、信号機とは別に製造されるため、信号機の製造工程を増やすことはなく、既存の信号機の防雪対策にも対応することができる。また、本発明の信号機用防雪カバーは、降雪の状況、季節等に応じて、容易に付け外しを行うことができると共に、対象となる信号灯の形状がほぼ同じであれば、転用することも可能である。
【図面の簡単な説明】
【００２５】
【図１】本発明の一実施例を示す信号機用防雪カバーの外観斜視図である。
【図２】図１に示す信号機用防雪カバーの正面図である。
【図３】図１に示す信号機用防雪カバーの背面図である。
【図４】図１に示す信号機用防雪カバーの信号機への取り付け方法を示す外観斜視図である。
【図５】信号機に図１に示す信号機用防雪カバーが取り付けられた状態を示す縦断面図である。
【符号の説明】
【００２６】
１  信号機用防雪カバー
２  筒状体
３  防雪板
４  穴
５  フランジ
６  磁石
Ａ  信号機
Ｂ  信号灯
Ｃ  光源
Ｄ  レンズ
Ｅ  フード
【図１】
2006202114.tif 000003
【図２】
2006202114.tif 000004
【図３】
2006202114.tif 000005
【図４】
2006202114.tif 000006
【図５】
2006202114.tif 000007